(57)【要約】      （修正有）【課題】アウトドア用ケトルや家庭用薬缶など、注ぎ口の口径サイズに関わらず装着することができ、一筋の流路を形成して注ぎ時間を自在にコントロールする事が出来るリードを提供すること。【解決手段】注ぎ口を有する容器の注ぎ口に装着されて、注ぎ口から排出される液体を一筋の流路に形成するリード１であって、リードは、注ぎ口に差し込まれて該注ぎ口内に保持される保持部と、保持部に接続され、該保持部を通って排出される液体を、底のない一筋の流路に形成する一対の分離したガイド部とを備えている。【選択図】図１
2020168220.tif 000002
【特許請求の範囲】
【請求項１】
注ぎ口を有する容器の注ぎ口に装着されて、前記注ぎ口から排出される液体を一筋の流路に形成するリードであって、前記リードは、前記注ぎ口に差し込まれて該注ぎ口内に保持される保持部と、前記保持部に接続され、該保持部を通って排出される前記液体を、底のない一筋の流路に形成する一対の分離したガイド部とを備えているリード。
【請求項２】
前記一対のガイド部の前記流路の上部には、カバーが設けられ、該カバーは、前記容器の過度な傾きによって、前記一対のガイド部から溢れる前記液体を前記一対のガイド部内に留める、請求項１に記載のリード。
【請求項３】
前記一対のガイド部の前記流路には、前記液体の流れを整える板状のリードサポートが前記カバーに取り付けられ、前記一対のガイド部と前記リードサポートとの各間隔が前記液体を表面張力で保持して、前記一対のガイド部の先端へ導く幅に設定されている、請求項２に記載のリード。
【請求項４】
前記一対のガイド部の下部には、前記流路を挟むように取り付けられて、前記流路を下方へ誘導する一対のアーチガイドが設けられている、請求項１から３の何れかに記載のリード。
【発明の詳細な説明】
【技術分野】
【０００１】
本発明は、ケトルや薬缶、急須等から、お湯や水、お茶等の液体を一筋の流路に形成して注ぐための、注ぎ口に装着されるリードに関する。
【背景技術】
【０００２】
珈琲を抽出する要点は、ドリッパー中心部に珈琲粉末が暴れないよう優しくお湯を置くように注ぎ入れ、珈琲粉末を蒸らした後、珈琲抽出量に関わらず一定時間をかけて抽出することである。これにより、珈琲が美味しく仕上がる。しかし、抽出時間が短いと薄くコクのない珈琲になり、抽出時間が長いと雑味を含む苦い珈琲となる。そのため、優しく置くように注ぎ、注ぎ入れるお湯の量もコントロール可能なドリップポットが必要となる。
【先行技術文献】
【特許文献】
【０００３】
【特許文献１】実願２０１５ー３２５０
【発明の概要】
【発明が解決しようとする課題】
【０００４】
しかし、家庭で使用するドリップポットを屋外活動に持ち出すには嵩高く重量が増加してしまう、また、カップやクッカーなどの可搬性容器による代用では、お湯を置くような柔らかな注ぎ量、注ぎによる珈琲抽出時間をコントロールする事ができない。またアウトドア用ケトルも存在するが、お湯を置くように柔らかく注ぎだそうとすると、注ぎ口の縁を伝ってお湯が流れ、周囲を濡らしてしまう。そのため、これまでは、可搬性容器やアウトドア用ケトルで妥協するか、荷物が増えてでもドリップポットを持ち出すかして、キャンプ時の珈琲抽出を楽しんでいた。
【０００５】
また特許文献１に開示された発明は、薬缶の注ぎ口の外壁に装着する筒状の着脱可能な注ぎ口で、これでドリップ珈琲を抽出できるようになっているが、一定サイズの注ぎ口に限定される問題がる。
【０００６】
本発明は、上記の点に鑑みてなされたもので、アウトドア用ケトルや家庭用薬缶など、注ぎ口の口径サイズに関わらず装着することができ、しかも、一筋の流路を形成して注ぎ時間を自在にコントロールする事が出来る新たなリードを提供することを課題とする。
【課題を解決するための手段】
【０００７】
請求項１に記載のリードは、注ぎ口を有する容器の注ぎ口に装着されて、前記注ぎ口から排出される液体を一筋の流路に形成するリードであって、前記リードは、前記注ぎ口に差し込まれて該注ぎ口内に保持される保持部と、前記保持部に接続され、該保持部を通って排出される前記液体を、底のない一筋の流路に形成する一対の分離したガイド部とを備えていることを特徴とする。
【０００８】
請求項２に記載のリードは、前記一対のガイド部の前記流路の上部には、カバーが設けられ、該カバーは、前記容器の過度な傾きによって、前記一対のガイド部から溢れる前記液体を前記一対のガイド部内に留めることを特徴とする。
【０００９】
請求項３に記載のリードは、前記一対のガイド部の前記流路には、前記液体の流れを整える板状のリードサポートが前記カバーに取り付けられ、前記一対のガイド部と前記リードサポートとの各間隔が前記液体を表面張力で保持して、前記一対のガイド部の先端へ導く幅に設定されていることを特徴とする。
【００１０】
請求項４に記載のリードは、前記一対のガイド部の下部には、前記流路を挟むように取り付けられて、前記流路を下方へ誘導する一対のアーチガイドが設けられていることを特徴とする。
【発明の効果】
【００１１】
請求項１に記載の発明によれば、リードの保持部をケトルや薬缶等の注ぎ口内に装着して傾ければ、お湯を前記リードの先端から一筋の流路として排出することができる。また二又に分かれた一対のガイド部は、例えば０．５ｍｍ程度開ければ、この間隔を流れるお湯は、細く糸のように流れて、ドリップ珈琲に注ぐことができる。また太く注ぐ場合は、一対のガイド部間隔を２．５ｍｍ程度に広げれば良い。このように、一対のガイド部間の間隔を適宜に調整したものを用意することにより、最適な一筋の流路としてお湯を注ぐことができる。
【００１２】
請求項２に記載の発明によれば、前記一対のガイド部の上部に設けたカバーにより、ケトル等の容器を過度に傾けても、一対のガイド部から溢れるお湯を一対のガイド部内に留めることができるので、不用意に容器を傾けても、お湯を零さずに、リードの先端からアーチ状にお湯を注ぐことができる。
【００１３】
請求項３に記載の発明によれば、リードサポートを前記一対のガイド部の間に設けているので、一対のガイド部の間隔を広げて、お湯の注ぎ量を増加させることが可能となる。特に、ドリップ珈琲に使用するフィルーターやドリッパーは、１―２杯用、２−４杯用と二種類販売されているが、珈琲の抽出時間は、量に関わらず目安として変わらないので、抽出量によって前記リードサポートを増減させることができる。例えば前記リードサポートを１枚設けた時、前記容器から吸い込む水路は２本となり、注ぎ出す容量を増加させることが可能となる。
【００１４】
請求項４に記載の発明によれば、前記一対のガイド部の下部に一対のアーチガイドを設けたので、前記一対のガイド部の間まで誘導されたお湯を、前記一対のアーチガイドとの間に、表面張力によって広げながら、一対のアーチガイドの先端から柔らかく置くように注ぎ出すことが可能となる。
【図面の簡単な説明】
【００１５】
【図１】リード全体の外観斜視図。
【図２】リードの三角法。（ａ）は、上面図、（ｂ）は、側面図。
【図３】全ての部材を組み込んだリードの分解斜視図
【図４】全ての部材を組み込んだリード全体の外観斜視図。
【図５】全ての部材を組み込んだリードを注ぎ口を有した容器に装着した説明図。（ａ）は、容器注ぎ口に装着した状態を示し、（ｂ）は、注ぎ出した状態を示している。
【図６】リード単体で注ぎ口を有した容器に装着して注ぎ出している状態の説明図。（ａ）は、側面から見た図、（ｂ）は、後上方より注ぎ出し方向を見た図。
【図７】リードを図４（ｂ）の矢視方向から見た説明図で、一対のガイド部の水路間隔を説明する図。
【図８】一対のガイド部の断面形状の説明図で、（ａ）は、一対のガイド部間に、お湯が保持された状態の説明図で、拡大指示位置をＡで示す。（ｂ）は、Ａ部拡大図。
【図９】リードにカバーを装着したの三角法。（ａ）は、上面図、（ｂ）は、側面図。
【図１０】リードにリードサポートを追加した時の説明図。（ａ）は装着前、（ｂ）は、装着後。
【図１１】一対のガイド部間に、お湯が保持された状態の説明図で、リードサポートを増やした時の水路を説明する図。
【図１２】一対のガイド部底面とリードサポート底面の段差設定の説明図で、（ａ）は、一対のガイド部底面位置を示し、（ｂ）は一対のガイド部間にリードサポートを追加した時の底面位置の段差を示す。
【図１３】リードにアーチガイドを設けた斜視図。（ａ）は、上方から見た全体斜視図を示しており、（ｂ）は、下から見た全体斜視図を示している。
【図１４】一対のガイド間隔と一対のアーチガイド間隔との関係の説明図。（ａ）リードサポートなしの場合を示している。（ｂ）は、リードサポートが装着されている場合を示している。
【図１５】注ぎ口を有する容器注ぎ口へのリード適正装着状態の説明図。
【図１６】注ぎ口を有した容器の湯量が少ない時の、適正なリード装着位置の説明図。
【図１７】着脱構造の保持部。（ａ）は、連結前。（ｂ）は、連結後。
【図１８】着脱構造の保持部で、可搬性容器（非磁性マグカップ）に装着した説明図。（ａ）は、満水状態からの注いでいる状態を示す。（ｂ）は、貯水量が少ない時、リード装着位置を変えて注ぎ出している状態を示している。
【発明を実施するための形態】
【００１６】
図１は、リード１の全体の外観斜視図、図２はリード１の上面図と側面図を示しており、保持部は三又形状をし、両サイドは横方向に湾曲した形状で、中央は少し下方向に湾曲した形状をしており、注ぎ口を有する容器の注ぎ口内側に圧着しながら留まる機能を果たす。図３は、全ての部材を組み込んだ本発明の分解斜視図を示し、図４は、本発明全体の外観斜視図である。
【００１７】
図５は、本発明に係るリードを注ぎ口を有する容器５に装着し、お湯を注ぎ出している様子の使用説明図である。尚、このリード１は、例えば評価用に耐熱性の合成樹脂で試作したものであるが、これには限定されず、例えば、金属製、陶器などであっても良い。また図示として、前記リード１の保持部１ー１と一対のガイド部１ー２は一体で表現しているが、分離した構造にして、より良い組み合わせの原材料に変えても良い。例えば、前記一対のガイド部を耐熱硬質材料、前記保持部１ー１は、より形状変化に柔軟なシリコーンゴムなどでも良い。また、保持部は着脱式構造にし、より限定したアタッチメント形状にすれば、特殊形状の注ぎ口や可搬性容器６のクッカーなどにも装着可能となる。
【００１８】
図３において、リード１は、お湯に浸かる保持部１ー１、前記保持部１ー１を通ったお湯を先端に導く、所定距離離れた一対のガイド部１ー２とで構成されている。前記一対のガイド部は、上に湾曲し、それらの間隔は、離れた一対のガイド部の間に表面張力でもってお湯が保持される間隔１ー３に設定している。図６は、リード１だけの使用状態を示し、図７は、図６（ｂ）の矢視方向からリード１を見た前記一対のガイド部の間隔１ー３の説明図である。この図において、細い水流とする時の間隔１−３−１は、例えば０．５ｍｍ程度、太い水流とする時の間隔１−３−２は、２．５ｍｍ程度とするのが好ましい。珈琲をドリップさせる時は、注ぎ量と注ぎ時間がコントロールできる間隔１−３−３として、１．５ｍｍ〜２．０ｍｍが好ましい。
【００１９】
図８は、図６（ｂ）の矢視方向から前記一対のガイド部１ー２を見た時の簡略化した断面を示している。前記一対のガイド部の間隔１−３が、お湯を保持した状態の説明図を示す。前記一対のガイド部１−２の水路内下部のコーナー形状は、水路内壁と底面とのコーナー１ー２ー１を鋭角とし、表面張力によるお湯の保持力を強め、底のない流路を形成している。又、前記容器５から注ぎ出す際に前記一対のガイド部１−２の外側から伝うお湯を水路内に戻す為に、外壁下部コーナーの形状１ー２ー２は、表面張力を弱めるためＲ形状とし、前記一対のガイド部１−２の水路下部から外側に向けた傾斜１−２−３を、例えば３度〜６度程度設ける事で、お湯を水路内へ戻す作用を増す事ができる。
【００２０】
図９は、前記一対のガイド部１−２にカバー２を取り付けたリード１を表しており、カバー２は、前記一対のガイド部の上に湾曲した形状で、前記容器５の過度な傾きによって容器内のお湯が前記一対のガイド部から溢れるのを規制する。
【００２１】
図１０は、前記一対のガイド部間隔１−３を広げてリード１の注ぎ能力を増加させる一例である。この例では、表面張力を作用させるための補助的ガイドのリードサポート３を設けた説明図を示す。図１１において、前記リードサポート３を、お湯を表面張力で保持できる適度な間隔ｌａ〜ｌｃでもって、（ａ）は、リードサポート３未設置、（ｂ）は、１枚付加した時の断面を示す。尚、図示では、前記リードサポート３の断面を略三角形で表わしているのは、底辺があり、且つ鋭利な角を有した形状が好ましい。断面が逆三角形や樽型に対して、三角形や中央部がくびれた逆樽型が水路壁に対して水平な底面までの角度が大きくなり、これにより表面張力によるお湯の保持力を高めることができる。
【００２２】
図１２にて、前記一対のガイド部間１−３へ前記リードサポート３を追加した時に、前記容器５の注ぎ口形状として一般的には、筒形であるため、前記容器の注ぎ口先端部５ー１は、下に湾曲しているので本発明の流路にお湯を誘い込む際、（ｂ）に示すように、一対のガイド部底面位置１−２−４に対しリードサポート底面位置３−１を下方に段差３−１−１を設けて、より前記容器注ぎ口先端５ー１形状に沿うように配置するのが望ましい。
【００２３】
図１３は、板状の一対のアーチガイド４を図９に設けたものを表わしている。（ａ）は、上方から見た全体斜視図を示しており、（ｂ）は、下から見た全体斜視図を示している。これにより前記一対のガイド部の間隔１ー３に流れるお湯の主流を下方向へ誘導する。
【００２４】
図１４は、前記一対のガイド部の間隔１ー３と前記一対のアーチガイドの間隔４ー１の接続部断面の簡略図を表わしている。（ａ）は、リードサポートのない場合を表わしており、（ｂ）は、リードサポートを設けた場合を表わしている。前記一対のガイド部の間隔１ー３を広く、前記一対のアーチガイドの間隔４ー１を狭く設定することで、前記一対のガイド部１ー２と前記一対のアーチガイド４との間にお湯が保持されやすくなる。図５（ｂ）において、前記一対のガイド部１ー２と前記一対のアーチガイド４との間にお湯を蓄えながら注ぎ出す状態を示している。この作用により、表面張力により蓄えられたお湯が緩衝材となり、前記容器５を円を描きながら注ぎ出す時に、注ぐ水流が前方へ飛び出そうとする動きを緩和することができる。
【００２５】
尚、図１４（ａ）では、一対のガイド部底面位置１ー２ー４とアーチガイド４下部と位置を合わしている。（ｂ）では、リードサポート底面位置３ー１とアーチガイドの下部を合わしている。これは、前記容器５へのお湯残量が変化した時に、本発明を装着する位置を可変する時に、引っかかりなくシームレスにずらせるようにしたものである。
【００２６】
図１５は、各部材を組み込んだリード１を前記容器５の注ぎ口に装着した様子を表わしている。装着方法の要点として、前記容器の注ぎ口先端部５ー１に、前記一対のガイド部１ー２が接触するようにし、前記カバー先端部２ー１が前記注ぎ口先端部５ー１水平位置よりやや上向きに合わせると、前記一対のアーチガイド先端部４ー２が下向きに位置し、前記容器へ満水近く注水した際に、より優しく注ぎ出すことができる。このように、前記容器５の注ぎ口角度は多様であるが、リード保持部１ー１により適正装着状態に合わせることができる。
【００２７】
また図１６は、リード１の装着方法として保持部１ー２で持って、前記容器５の注ぎ口内壁に圧着して装着するので容易に装着位置を変更できることを示している。前記容器５の湯量によって本発明の装着位置を変えることにより、よりスムーズに垂れ落ちるように注ぎ出すことができる。（ａ）は、湯量が少ない時に満水時と同じ装着位置で注ぎ出す状態を示しており、カバー先端部２ー１と一対のアーチガイド先端部４ー２とが注ぎ出すお湯を表面張力で引き合うので、注ぎ出す水流に乱れが生じる。注ぎ口を有した容器５では容量が多いので一度に使い切らないことが多い。（ｂ）は、本発明の装着位置を前記容器５タンク側へずらして注ぎ出している状態を示している。前記アーチガイド先端部が上方向に移動するので、前記カバー先端部２ー１から水流を滑らかに誘導できるようになる。
【００２８】
図１７では、保持部１ー１と一対のガイド１ー２を、着脱構造の保持部１ー１ー１にした例であり、装着する前記保持部は、例としてＣ形状で末端に埋め込まれた磁石１ー１ー２を設けている。図１８では、非磁性体可搬性容器に、外側から別途磁石７で容器を挟み込み装着した本発明である。（ａ）は、満水時から注ぎ出している様子を示している。（ｂ）は可搬性容器６にお湯が少ない時に注ぎ出している様子であり、図１６で説明している機能と同じで、本発明を容器タンク側に倒して注ぎ出している。このように着脱式保持部１ー１ー１であれば容器種類が変わっても最適な注ぎ出しが可能となる。このように豊富な着脱式保持部を準備すれば全ての容器に装着可能となる。
【００２９】
これまでの説明で、前記一対のガイド部１ー２および前記一対のアーチガイド４を、急須、アウトドア用ケトルや家庭用の一般的な湯沸かし用薬缶サイズ（０．４L〜１．５L程度）への汎用性を高める為に２本で表わしているが、より大容量の薬缶に特化するのであれば、３本、４本のデザインであっても良い。
【符号の説明】
【００３０】
１          リード
１ー１      保持部
１ー１ー１  着脱式保持部
１ー１ー２  埋め込み磁石
１ー２      一対のガイド部
１ー２ー１  一対のガイドの水路内下部コーナー
１ー２ー２  一対のガイドの外壁下部コーナー
１ー２ー３  一対のガイドの水路下部から外側に向けた傾斜
１−２−４  一対のガイド底面位置
１ー３      一対のガイドの間隔お湯が保持される隙間）
１ー３ー１  細い水流とした時の一対のガイドの隙間
１ー３ー２  太い水流とした時の一対のガイドの隙間
１ー３ー３  ドリップに好ましい隙間
２          カバー
２ー１      カバー先端部
３          リードサポート
３−１      リードサポート底面位置
３−１−１  リードサポートと一対のガイドとの底面位置の段差
４          一対のアーチガイド
４ー１      一対のアーチガイドの間隔
４ー２      一対のアーチガイド先端部
５          注ぎ口を有する容器
５ー１      注ぎ口を有する容器の注ぎ口先端
６          クッカーやマグカップなどの可搬性容器
７          磁石２
【図１】
2020168220.tif 000003
【図２】
2020168220.tif 000004
【図３】
2020168220.tif 000005
【図４】
2020168220.tif 000006
【図５】
2020168220.tif 000007
【図６】
2020168220.tif 000008
【図７】
2020168220.tif 000009
【図８】
2020168220.tif 000010
【図９】
2020168220.tif 000011
【図１０】
2020168220.tif 000012
【図１１】
2020168220.tif 000013
【図１２】
2020168220.tif 000014
【図１３】
2020168220.tif 000015
【図１４】
2020168220.tif 000016
【図１５】
2020168220.tif 000017
【図１６】
2020168220.tif 000018
【図１７】
2020168220.tif 000019
【図１８】
2020168220.tif 000020
【手続補正書】
【提出日】令和1年7月19日(2019.7.19)
【手続補正１】
【補正対象書類名】特許請求の範囲
【補正対象項目名】請求項１
【補正方法】変更
【補正の内容】
【請求項１】
注ぎ口を有する容器の注ぎ口に装着されて、前記注ぎ口から排出される液体を一筋の流れに形成するリードであって、前記リードは、前記注ぎ口に差し込まれて該注ぎ口内に保持される保持部と、前記保持部に接続された一対の分離したガイド部と、を備えており、前記一対のガイド部が底のない流路を形成し、前記一対のガイド部の間隔が、前記保持部を通って排出される前記液体を表面張力でもって保持する間隔に設定されているリード。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
注ぎ口を有する容器の注ぎ口に装着されて、前記注ぎ口から排出される液体を一筋の流れに形成するリードであって、前記リードは、前記注ぎ口に差し込まれて該注ぎ口内に保持される保持部と、前記保持部に接続された一対の分離したガイド部と、を備えており、前記一対のガイド部が底のない流路を形成し、前記一対のガイド部の間隔が、前記保持部を通って排出される前記液体を表面張力でもって保持する間隔に設定され、前記一対のガイド部の下部には、前記流路を挟むように取り付けられて、前記流路を下方へ誘導する一対のアーチガイドが設けられているリード。
【請求項２】
前記一対のガイド部の前記流路の上部には、カバーが設けられ、該カバーは、前記容器の過度な傾きによって、前記一対のガイド部から溢れる前記液体を前記一対のガイド部内に留める、請求項１に記載のリード。
【請求項３】
前記一対のガイド部の前記流路には、前記液体の流れを整える板状のリードサポートが前記カバーに取り付けられ、前記一対のガイド部と前記リードサポートとの各間隔が前記液体を表面張力で保持して、前記一対のガイド部の先端へ導く幅に設定されている、請求項２に記載のリード。